(57)【要約】      （修正有）【課題】メガネのフロント部正面に前掛けフレームを重ね合わせて取付けた前掛け式メガネの提供。【解決手段】フロント部７にはキャップを備え、キャップは受け部２を有し、受け部２の正面両側に設けた係止ツメ３をフロント部７の連結部材１１に係止し、受け部２の背面両側に設けた係止脚４を鼻当てパット１２を取付ける脚１３に係止し、受け部２には前掛けフレームの連結部材の後方に設けた載置部を載せると共に位置ズレしないように凹部と凸部を形成して互いに噛み合わせ、受け部２又は載置部には互いに引き合うように磁石を設けている。【選択図】図３
2014215368.tif 000002
【特許請求の範囲】
【請求項１】
メガネのフロント部正面に前掛けフレームを重ね合わせて取付ける為のキャップにおいて、該キャップは受け部、該受け部の正面両側に設けた係止ツメ、及び受け部の背面両側に設けた係止脚を有し、上記受け部の上面には載置部の凸部が嵌る凹部、又は載置部の凹部が嵌る凸部を形成し、そして受け部に載った載置部が吸着されるように磁石を設けたことを特徴とする前掛けフレームを取付けるキャップ。
【請求項２】
上記磁石の代わりに磁性体を設けた請求項１記載の前掛けフレームを取付けるキャップ。
【請求項３】
メガネのフロント部正面に前掛けフレームを重ね合わせて取付けた前掛け式メガネにおいて、フロント部にはキャップを備え、該キャップは受け部を有し、該受け部の正面両側に設けた係止ツメをフロント部の連結部材に係止し、そして受け部の背面両側に設けた係止脚を鼻当てパットを取付ける脚に係止し、上記受け部には前掛けフレームの連結部材の後方に設けた載置部を載せると共に位置ズレしないように凹部と凸部を形成して互いに噛み合わせ、さらに受け部又は載置部には互いに引き合うように磁石を設けたことを特徴とする前掛け式メガネ。
【請求項４】
上記受け部には凹部を設けると共に、凹部底には磁石を取付け、載置部には下方へ凸部を突出すると共に該凸部には磁石を設けた請求項３記載の前掛け式メガネ。
【発明の詳細な説明】
【技術分野】
【０００１】
本発明はメガネのフロント部正面に前掛けフレームをワンタッチで安定して取付けることが出来る前掛け式メガネ、及び前掛けフレームを取付ける為のキャップに関するものである。
【背景技術】
【０００２】
従来においても、メガネのフロント部正面に前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームを備えた前掛け式メガネには幾つかの問題があり、その１つはメガネのフロント部と前掛けフレームが対を成した構造としている点であり汎用性がない。その為に、フロント部に他の前掛けフレームを取付けることは出来ない。また、前掛けフレームの取付け構造が複雑である為に製作コストが高くなると共に、嵌合状態があまくなってガタ付きを生じ、前掛けフレームが安定しないといった点もある。
【０００４】
図１０は従来多用されている前掛け式メガネフレームを示し、（ａ）はメガネフレーム、（ｂ）は上記メガネフレーム（イ）のフロント部（ハ）に取付けられる前掛けフレーム（ロ）を表している。フロント部（ハ）の両側に設けているヨロイ（ニ）、（ニ）には磁石（ホ）、（ホ）が取着され、前掛けフレーム（ロ）の両側に設けているヨロイ（ヘ）、（ヘ）にも同じく磁石（ト）、（ト）を有している。
【０００５】
そこで、上記前掛けフレーム（ロ）はフロント部（ハ）の正面に重ね合わされ、磁石（ホ）に磁石（ト）が引き付けられて取着される。勿論、磁石（ホ）、（ト）を介して取付けられる前掛けフレーム（ロ）が位置ズレしないように何らかの工夫はされている。実用新案登録第３０８１２７１号に係る「めがね」はこの前掛け式メガネフレームに相当する。
従って、前掛けフレームの形態が違ったり、また磁石の位置が異なると該前掛けフレームをフロント部に取付けることは出来ない。
【０００６】
特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。この着脱眼鏡取付装置の場合も同じように前掛けフレームはフロント部に対応する構造とし、あらゆる前掛けフレームを取付けることは出来ない。
【０００７】
一方、磁石ではなく、前掛けフレームにカギを取付け、該カギを介してメガネのフロント部に係止することも出来る。しかし、カギをフロント部に係止するだけの取付け構造は簡単ではあるが、前掛けフレームは一般的に安定しない。しかも、カギの位置が変わると前掛けフレームをフロント部に係止することは出来ない。
【０００８】
そして、前掛けフレームを取付けるには前掛けフレームは勿論のこと、フロント部の構造が前掛けフレームを取付けできるように構成していることが必要である。すなわち、一般的なメガネのフロント部に前掛けフレームを取付けることは不可能である。
【特許文献１】実用新案登録第３０８１２７１号に係る「めがね」
【特許文献２】特許第２９９７４１８号に係る「着脱眼鏡取付装置」
【発明の開示】
【発明が解決しようとする課題】
【０００９】
このように、前掛けフレームをメガネのフロント部に着脱可能に取付ける構造は色々知られているが、前掛けフレームとフロント部は対を成す構造とし、あらゆる前掛けフレームの取付けは出来ない。勿論、前掛け式でない普通のメガネのフロント部に簡単に着脱できる前掛けフレームの取付けは不可能である。本発明が解決しようとする課題はこの問題点であり、一般的なメガネであっても簡単にフロント部に前掛けフレームの取付けが出来、取付けられる前掛けフレームに汎用性がある前掛け式メガネを提供する。そして、一般のメガネであっても前掛けフレームを取付け出来るようにフロント部に係止するキャップを提供する。
【課題を解決するための手段】
【００１０】
本発明に係る前掛け式メガネは、その前掛けフレームがフロント部の正面に重なり合って取付けられ、その基本的な形態は従来の前掛け式メガネと共通する。しかし、本発明では前掛け式でない普通のメガネであってもフロント部に前掛けフレームを取付け出来るようにフロント部にキャップを係止している。キャップは着脱自在であり、前掛けフレームを取付ける際に該キャップをフロント部中央の連結部材に係止することが出来る。
【００１１】
キャップは受け部を有し、該受け部の正面側には係止ツメを設け、背面側には係止脚を延ばしている。上記係止ツメはフロント部の連結部材に係止し、係止脚は鼻当てパットを取付けている脚に係止することが出来るようにしている。そして、上記受け部には磁石を設け、前掛けフレームの連結部材に設けた載置部が受け部に載り、磁石の磁気力にて吸着される。その為に、載置部にも磁石が備わっている。ただし、受け部に載った載置部が磁気力にて吸着されればよく、必ずしも両方に磁石を設ける必要はない。
【００１２】
そこで、フロント部に係止したキャップの受け部に前掛けフレームの連結部材に形成した載置部が載置されることで、前掛けフレームはフロント部に取付けられる。受け部に載る載置部が正しく位置決めされるように、すなわち、前掛けフレームがフロント部に対して所定の位置に取付けられるように、該受け部及び載置部には互いに噛み合う凹部と凸部が形成されている。
【発明の効果】
【００１３】
本発明に係る前掛け式メガネは、前掛けフレームがメガネのフロント部正面に重なり合って取付けられる。この場合、メガネのフロント部にはキャップが係止し、このキャップの受け部に前掛けフレームの載置部が載置される。該キャップは独立した部品で前掛けフレームを取付ける場合にのみフロント部中央に係止され、前掛けフレームを必要としない時はキャップも取外される。すなわち、該キャップを使用することで普通のメガネであっても前掛けフレームを取付けることが可能となる。
【００１４】
前掛けフレームの連結部材には載置部が形成されるが、この載置部を共通化することで、あらゆる形態の前掛けフレームがキャップを介してフロント部に取付けることが出来る。該キャップは受け部の正面側に設けた係止ツメがフロント部の連結部材に係止すると共に、受け部の背面側に設けた係止脚が鼻当てパットの脚に係止することで、安定した取付けが出来る。しかも、線材で構成している係止ツメ及び係止脚を調整することで、色々なメガネのフロント部に安定して係止出来る。
【００１５】
そして、キャップの受け部と載置部には凹部と凸部が形成され、フロント部の連結部材と鼻当てパットの脚に係止した受け部に前掛けフレームの載置部が載置されるならば、凹部には凸部が嵌って噛み合うことで、正しく位置決めされる。従って、前掛けフレームはフロント部に正しく重なり合って取付けられ、しかも磁石によって外れることはなく、安定した取付けが出来る。
【図面の簡単な説明】
【００１６】
【図１】本発明に係るキャップを示す実施例で、（ａ）は平面図、（ｂ）は正面図、（ｃ）は側面図。
【図２】図１（ａ）のＡ−Ａ断面拡大図。
【図３】フロント部中央にキャップを取付けた場合。
【図４】前掛けフレームの具体例。
【図５】図４（ａ）のＢ−Ｂ断面拡大図。
【図６】本発明の前掛け式メガネを示す実施例。
【図７】本発明に係るキャップの正面図を示す他の実施例。
【図８】前掛けフレームを示す他の具体例。
【図９】本発明の前掛け式メガネを示す他の実施例。
【図１０】従来の前掛け式メガネ。
【発明を実施するための形態】
【００１７】
図１は本発明に係るキャップ１を示す実施例であり、（ａ）は平面図、（ｂ）は正面図、（ｃ）は側面図を表している。そして、同図の２は受け部、３は係止ツメ、４は係止脚をそれぞれ表し、受け部２はブロック体で、上面には凹部５を形成し、凹部５の底には磁石６を設けている。図２は図１（ａ）のＡ−Ａ断面拡大図を示すように、凹部５の深さは比較的浅いが、底には磁石６を有し、該凹部５に嵌る載置部を吸着する。
【００１８】
係止ツメ３，３は受け部２の正面両側から延びるＬ形ツメであり、また係止脚４，４は受け部２の背面両側に設けられ、その形状は概略Ｌを成している。そして、上記係止ツメ３より下方へ大きく延び、ストレートではなくジグザグ状に湾曲した形状としている。これら係止ツメ３及び係止脚４は金属製の線材で構成され、メガネの中央部となる連結部材と鼻当てパットを取付けている脚に係止して取付けられる。
【００１９】
図３は上記キャップ１をメガネのフロント部に係止して取付けた場合を示している。同図に示すメガネは一般的なものであり、フロント部７の両側には継手９，９を介してツル８，８が折り畳み出来るように取付けられている。そして、フロント部７はレンズが嵌る両リム１０，１０を有し、リム１０，１０は中央の連結部材１１を介してロウ付けにて連結されている。また、フロント部７の背面側中央部には、鼻当てパット１２，１２がリム１０，１０から延びる脚１３，１３の先端に取付けられている。
【００２０】
ところで、同図に示すように、受け部２は連結部材１１の位置に配置され、両係止ツメ３，３は連結部材１１の両端部に係止し、また係止脚４，４は鼻当てパット１２，１２を取付けている脚１３，１３に係止している。係止脚４，４はストレートでなくジグザグ状を成している為に、脚１３，１３に係止することでその位置は定まり、滑ることなく止着される。勿論、係止ツメ３，３は連結部材１１に係止することで止着され、その為に受け部２は定位置に安定して配置される。
【００２１】
図４は前掛けフレーム１４を示す実施例である。両レンズ１５，１５は連結部材１６の両端に設けた溝に嵌ってネジ止めされ、リムを持たない縁なし型式の前掛けフレームと成っている。勿論、本発明では前掛けフレーム１４の形態を限定するものではなく、フロント部７の形態も自由である。図４に示すように、リムを持たない縁なし型式とすることでその重量は軽く、フロント部に取付けても何ら違和感を覚えない。
【００２２】
ところで、該連結部材１６には繋ぎ１７を後方へ延ばし、繋ぎ先端には載置部１８を形成している。該載置部１８のＢ−Ｂ断面拡大図を図５に示すように、下面１９には磁石２０を取着している。この載置部１８はフロント部７に取付けたキャップ１の受け部２に載置され、磁石６に磁石２０が吸着される。受け部２に載った載置部１８は磁石２０が該受け部２の凹部５に嵌り、そして磁石６に吸着する。
【００２３】
受け部２の凹部５に嵌ることで載置部１８は位置決めされ、その為に前掛けフレーム１４はフロント部７に正しく重なり合って取付けられる。図６はメガネのフロント部７の正面に前掛けフレーム１４がキャップ１を介して取付けた状態を表している。キャップ１は係止ツメ３，３、及び係止脚４，４にてフロント部７に正しく安定して係止し、このキャップ１を介して前掛けフレーム１４が取付けられる。
【００２４】
ところで、前記図４に示すような前掛けフレーム１４のレンズ１５は顧客が使用しているメガネのレンズに合致するようにカットし、カットしたレンズ１５，１５を連結部材によって連結・ネジ止めすることで前掛けフレーム１４として使用出来る。載置部１８を有す連結部材１６は汎用性があり、両端にレンズ１５，１５を止着することであらゆる形態の前掛けフレーム１４として構成される。また、顧客使用のメガネレンズに合わせることなく好みの形状をしたレンズを選択して連結部材６の両端に止着することも可能である。
【００２５】
一方、縁なし型式の前掛けフレームでなく、レンズをリムに嵌めて前掛けフレームを構成することも自由である。この場合にはリムの曲げ加工やリムと連結部材のロウ付け加工が必要であることから、小売店にて短時間で準備することは出来ないことも多く、前掛けフレーム１４の準備には多少の時間を必要とする。
【００２６】
図７はキャップ１の正面図を示す別の実施例であり、前記図１に示したキャップ１と比較する場合、係止脚の形態を違わせている。すなわち、図７に示すキャップ１の係止脚２１の先端は屈曲し、先端部には樹脂キャップ２２が嵌っている。該キャップ１は係止脚２１，２１がフロント部７の鼻当てパット脚１３，１３に係止して取付けられることになるが、係止脚２１，２１の先端部に樹脂キャップ２２，２２が嵌ることで脚１３，１３にキズを付けることなく、しかも脚１３，１３に係止する場合に樹脂キャップ表面が窪んで安定し、外れ難くなる。
【００２７】
図８は前掛けフレーム１４を示す他の実施例であり、この前掛けフレーム１４は両レンズ１５，１５を連結部材１６の両先端部にてネジ止めし、そして連結部材１６から背面側へ延びて載置部１８を繋ぐ繋ぎ１７ａ，１７ｂの形態を異にしている。そして、載置部１８の下面側には磁石を取付けている。
図９はフロント部７の正面に前掛けフレーム１４を取付けた場合の平面図と正面図である。同図に示すようにキャップ１は樹脂キャップ２２，２２を係止脚２１，２１の先端部に嵌めており、この樹脂キャップ２２，２２は鼻当てパット１２，１２の脚１３，１３にキズ付けることなく、しかも安定して係止することでキャップ１が取付けられる。
【符号の説明】
【００２８】
１   キャップ
２   受け部
３   係止ツメ
４   係止脚
５   凹部
６   磁石
７   フロント部
８   ツル
９   継手
10   リム
11   連結部材
12   鼻当てパット
13   脚
14   前掛けフレーム
15   レンズ
16   連結部材
17   繋ぎ
18   載置部
19   下面
20   磁石
21   係止脚
22   樹脂キャップ
【図１】
2014215368.tif 000003
【図２】
2014215368.tif 000004
【図３】
2014215368.tif 000005
【図４】
2014215368.tif 000006
【図５】
2014215368.tif 000007
【図６】
2014215368.tif 000008
【図７】
2014215368.tif 000009
【図８】
2014215368.tif 000010
【図９】
2014215368.tif 000011
【図１０】
2014215368.tif 000012